(57)【要約】【課題】カートリッジケースの任意の場所に照射された光を、カートリッジケースの任意の他の場所から出力することができる記録ディスクカートリッジを提供する。ドライブ装置の動作状態を外部から容易に確認することができる記録ディスクカートリッジ及びドライブ装置を提供する。【解決手段】カートリッジケース１０と、ロータリシャッタ２０と、記録ディスクメディア３０と、を備え、ドライブ装置Ｄに挿入されて使用される記録ディスクカートリッジ１であって、カートリッジケース１０は、光が入力される光入力部９１と、光入力部９１に入力された光を出力する光出力部９２と、光入力部９１と光出力部９２との間にわたって設けられ、光入力部９１に入力された光を光出力部９２に伝達する光伝達部９３と、を有することを特徴とする。【選択図】図３
2007141297.tif 000002
【特許請求の範囲】
【請求項１】
記録ディスクメディアと、
前記記録ディスクメディアを収容するとともに、当該記録ディスクメディアを外部に臨ませるアクセス用開口部を有するカートリッジケースと、
前記記録ディスクメディアと前記カートリッジケースとの間で回動することで前記アクセス用開口部を開閉するロータリシャッタと、を備え、
発光体を内部に有するドライブ装置に挿入されて使用される記録ディスクカートリッジであって、
前記カートリッジケースは、
前記ドライブ装置に挿入されたときに前記発光体に対向する位置に設けられ、前記発光体からの光が入力される光入力部と、
前記ドライブ装置に挿入されたときに前記ドライブ装置から露出する位置に設けられ、前記光入力部に入力された光を出力する光出力部と、
前記光入力部と前記光出力部との間にわたって設けられ、前記光入力部に入力された光を前記光出力部に伝達する光伝達部と、を有することを特徴とする記録ディスクカートリッジ。
【請求項２】
前記カートリッジケースは、前記記録ディスクメディアの下方に配置される下シェルと、前記記録ディスクメディアの上方に配置される上シェルと、前記記録ディスクメディアの半径方向外側であって前記下シェルと前記上シェルとの間に配置されるフレーム部材と、を備えて構成され、
前記フレーム部材に前記光入力部と前記光出力部とを設けるとともに、当該フレーム部材のうち少なくとも前記光入力部から前記光出力部にわたる部分を光透過材料で構成することで前記光伝達部を形成したことを特徴とする請求項１に記載の記録ディスクカートリッジ。
【請求項３】
前記上シェル及び前記下シェルのうち少なくともいずれか一方は、前記光入力部を外部に臨ませるための光入力用開口部を有することを特徴とする請求項２に記載の記録ディスクカートリッジ。
【請求項４】
光透過材料で構成された前記フレーム部材のうちカートリッジケースの外部に面する部分を、前記光入力部及び前記光出力部を除いて粗面化処理したことを特徴とする請求項２又は請求項３に記載の記録ディスクカートリッジ。
【請求項５】
請求項１から請求項４のいずれか１項に記載の記録ディスクカートリッジが挿入されるカートリッジスロットと、
前記カートリッジスロット内に備えられ、データの読み出し／書込み動作に応じて発光する発光体と、を有することを特徴とするドライブ装置。
【発明の詳細な説明】
【技術分野】
【０００１】
本発明は、記録ディスクメディアと、記録ディスクメディアを収容するカートリッジケースとを備える記録ディスクカートリッジ、及び、この記録ディスクカートリッジに対してデータの読み出し／書き込みを行うドライブ装置に関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。特許文献１に記載の記録ディスクカートリッジは、カートリッジケースと、このカートリッジケースの内部に回動可能に配置されたロータリシャッタと、このロータリシャッタの内部に回転自在に配置された記録ディスクメディアと、を主に備えている。従来の記録ディスクカートリッジは、専用のドライブ装置に挿入されて使用される。
【特許文献１】米国特許第６２５６１６８号明細書
【発明の開示】
【発明が解決しようとする課題】
【０００４】
ところで、従来の記録ディスクメディアに対してドライブ装置がデータの読み出し／書き込みを行っている最中に、記録ディスクカートリッジを誤って取り出してしまうと、データの破損、さらには記録ディスクメディアやドライブ装置の破損を招くおそれがある。そのため、ドライブ装置の外部から見える位置にドライブ装置の読み出し／書き込み動作に応じて発光する発光体などを設置することが望まれていた。
【０００５】
しかしながら、従来のドライブ装置は、カード（ＰＣカード）形状に形成されており、その大部分がコンピュータ装置に挿入された状態で使用される。そのため、従来のドライブ装置は、コンピュータ装置に装着されたときに外部に見える部分が少なく、ドライブ装置の動作に応じて発光する発光体を、コンピュータ装置に装着されたときに外部に見える部分に設けるのは困難であった。
【０００６】
本発明は、このような問題を解決するために成されたものであり、ドライブ装置の内部に設けられた発光体の光をドライブ装置の外部に出力可能な記録ディスクカートリッジ及びこれを利用したドライブ装置を提供することを課題とする。
【課題を解決するための手段】
【０００７】
本発明に係る記録ディスクカートリッジは、記録ディスクメディアと、前記記録ディスクメディアを収容するとともに、当該記録ディスクメディアを外部に臨ませるアクセス用開口部を有するカートリッジケースと、前記記録ディスクメディアと前記カートリッジケースとの間で回動することで前記アクセス用開口部を開閉するロータリシャッタと、を備え、発光体を内部に有するドライブ装置に挿入されて使用される記録ディスクカートリッジであって、前記カートリッジケースは、前記ドライブ装置に挿入されたときに前記発光体に対向する位置に設けられ、前記発光体からの光が入力される光入力部と、前記ドライブ装置に挿入されたときに前記ドライブ装置から露出する位置に設けられ、前記光入力部に入力された光を出力する光出力部と、前記光入力部と前記光出力部との間にわたって設けられ、前記光入力部に入力された光を前記光出力部に伝達する光伝達部と、を有することを特徴とする。
【０００８】
かかる構成によれば、記録ディスクカートリッジをドライブ装置に挿入したときに、ドライブ装置の内部に設けられた発光体に対向する位置に光入力部が配置されることとなる。また、光入力部に入力された光は、光伝達部によって光出力部に伝達されるようになっている。また、光出力部は、カートリッジケースをドライブ装置に挿入したときにドライブ装置の外部に露出する位置に設けられているので、光出力部から出力される光は、ドライブ装置の外部に出力されることとなる。そのため、ドライブ装置の内部に設けられた発光体の光をドライブ装置の外部に出力することが可能となる。これにより、例えば、ドライブ装置の内部に設けられた発光体を、データの読み出し／書き込み動作に応じて発光させるようにすれば、光出力部の発光によって、データの読み出し／書き込み動作を外部から目視で確認することができる。
【０００９】
また、前記カートリッジケースは、前記記録ディスクメディアの下方に配置される下シェルと、前記記録ディスクメディアの上方に配置される上シェルと、前記記録ディスクメディアの半径方向外側であって前記下シェルと前記上シェルとの間に配置されるフレーム部材と、を備えて構成され、前記フレーム部材に前記光入力部と前記光出力部とを設けるとともに、当該フレーム部材のうち少なくとも前記光入力部から前記光出力部にわたる部分を光透過材料で構成することで前記光伝達部を形成するのが好ましい。
【００１０】
かかる構成によれば、カートリッジケースを構成するフレーム部材に前記光入力部と前記光出力部とを設けるとともに、当該フレーム部材のうち少なくとも前記光入力部から前記光出力部にわたる部分を光透過材料で構成することで前記光伝達部を形成したことから、従来の記録ディスクカートリッジの寸法・形状を変更することなく、発光体から発せられた光をドライブ装置の外部に出力する機能を、記録ディスクカートリッジに簡易に付加することができる。
【００１１】
また、前記上シェル及び前記下シェルのうち少なくともいずれか一方は、前記光入力部を外部に臨ませるための光入力用開口部を有するのが好ましい。
【００１２】
かかる構成によれば、フレーム部材の上シェル側又は下シェル側の面に光入力部を設けた場合でも、光入力用開口部を介して光入力部に発光体からの光を入力させることができる。そのため、ドライブ装置内における発光体の設置位置の自由度が向上する。
【００１３】
また、光透過材料で構成された前記フレーム部材のうちカートリッジケースの外部に面する部分を、前記光入力部及び前記光出力部を除いて粗面化処理するのが好ましい。
【００１４】
かかる構成によれば、光透過材料で構成された前記フレーム部材のうちカートリッジケースの外部に面する部分が前記光入力部及び前記光出力部を除いて粗面化処理されているので、外部光が粗面化処理された部分にあたると、当該外部光は散乱することとなる。そのため、光入力部以外の場所からフレーム部材の中に入射する外部光を少なくすることができる。
【００１５】
本発明に係るドライブ装置は、前記した記録ディスクカートリッジが挿入されるカートリッジスロットと、前記カートリッジスロット内に備えられ、データの読み出し／書込み動作に応じて発光する発光体と、を有することを特徴とする。
【００１６】
かかる構成によれば、カートリッジスロットに記録ディスクカートリッジが挿入されると、カートリッジケースに設けられた光入力部とカートリッジスロット内に設けられた発光体とが、互いに対向する位置に配置される。そして、データの読み出し／書き込み動作に応じて発光体が発光すると、その光が光入力部に入力される。光入力部に入力した光は、光伝達部によってドライブ装置の外部に露出する位置に設けられた光出力部に伝達され、当該光出力部から外部に出力される。これにより、ドライブ装置の動作に応じてカートリッジケースに設けられた光出力部が発光することとなる。そのため、ドライブ装置の動作状態を外部から容易に目視で確認することができる。
【発明の効果】
【００１７】
本発明によれば、ドライブ装置の内部に設けられた発光体の光をドライブ装置の外部に出力可能な記録ディスクカートリッジ及びこれを利用したドライブ装置を提供することができる。
【発明を実施するための最良の形態】
【００１８】
＜第１実施形態＞
本発明を実施するための第１実施形態について図面を参照して詳細に説明する。
参照する図面において、図１は、第１実施形態に係る記録ディスクカートリッジを示す斜視図であり、（ａ）は前方斜め上方からみた図、（ｂ）は後方斜め下方からみた図をそれぞれ示している。図２は、第１実施形態に係る記録ディスクカートリッジの分解斜視図である。図３は、第１実施形態に係る記録ディスクカートリッジを下方からみた平面図である。図４は、本発明の光出力機構を示す断面図であり、（ａ）は図３のＩ−Ｉ断面図、（ｂ）は、図３のII−II断面図である。図５は、第１実施形態に係るロータリシャッタを示す斜視図であり、（ａ）は前方斜め上方からみた図、（ｂ）は後方斜め下方からみた図である。図６は、第１実施形態に係るドライブ装置を示した斜視図である。図７は、第１実施形態に係る記録ディスクカートリッジをドライブ装置に挿入した状態を示す斜視図である。図８は、第１実施形態に係る記録ディスクカートリッジ及びドライブ装置を示す斜視図であり、（ａ）はコンピュータ装置に挿入した状態を示す図、（ｂ）は発光時の状態を示す図である。
なお、第１実施形態において方向を説明する場合は、図１に示す前、後、右、左、上、下、を基準として説明する。
【００１９】
≪記録ディスクカートリッジ１の構成≫
第１実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、を主に備えている。そして、このような記録ディスクカートリッジ１は、図６に示すように、専用のドライブ装置Ｄに、その前側から挿入されて使用される。このドライブ装置Ｄは、記録ディスクメディア３０に対するデータの読み出し／書き込み動作に応じて発光する発光体Ｄ２を、カートリッジスロットＤＳ内に有している。ドライブ装置Ｄについては後に詳しく説明する。
【００２０】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図７参照）。
【００２１】
また、カートリッジケース１０は、その内部に収容された記録ディスクメディア３０を外部に臨ませるための、平面視でくさび形（中心角が略９０°の略扇形）に切り欠かれたアクセス用開口部１０１を有している。なお、このアクセス用開口部１０１は、ドライブ装置ＤのスイングアームＳＡ（図６、図７参照）の動作に干渉しない形状となっている。
【００２２】
また、カートリッジケース１０は、その後端部１０ｂ付近に、ドライブ装置Ｄの内部に設けられた発光体Ｄ２（図６参照）からの光をドライブ装置Ｄの外部に出力する光出力機構９０を備えている。
【００２３】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００２４】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２５】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２６】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２７】
さらに、上シェル１１は、その中央部に、ロータリシャッタ２０を回動可能に止め付けるセンタピン５０と係合する係合孔１１３を有している。
【００２８】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２９】
また、下シェル１２は、記録ディスクカートリッジ１がドライブ装置Ｄに挿入されたとき（より詳しくは、データの読取り／書き込みが可能な位置まで挿入されたとき）にドライブ装置Ｄの発光体Ｄ２（図６参照）に対向する位置に、光出力機構９０の後記する光入力部９１に発光体Ｄ２からの光を入射させるための貫通孔である光入力用開口部１２６を有している。
【００３０】
［フレーム部材１３］
フレーム部材１３は、図２、図３に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００３１】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００３２】
また、アーチ状フレーム１３１は、下向きに開口し、カートリッジケース１０の内部と外部を連通させる係合溝１３１ｅを有している。この係合溝１３１ｅは、後記するロック片７０が係合する溝である。
【００３３】
また、ベースフレーム１３２は、例えば透明又は半透明なポリカーボネイトなどの光透過材料を用いて形成されている。そして、この光透過性を利用して、ベースフレーム１３２には、図３、図４に示すように、光出力機構９０が形成されている。
【００３４】
光出力機構９０は、ドライブ装置Ｄに設けられた発光体Ｄ２からの光が入力される光入力部９１と、光入力部９１に入力した光を外部に出力する光出力部９２と、光入力部９１と光出力部９２との間にわたって設けられ、光入力部９１に入力した光を光出力部９２に伝達する光伝達部９３と、から構成されている。
【００３５】
光入力部９１は、発光体Ｄ２からの光が入力される部分であり、ベースフレーム１３２のうち、記録ディスクカートリッジ１がドライブ装置Ｄに挿入されたときに発光体Ｄ２に対向する位置に形成されている。また、光入力部９１は、ベースフレーム１３２の下側面１３２ｃに形成された凹部１３２ｄの底面を下シェル１２に対して約４５°に傾斜させて形成されている。これにより、光入力部９１は、いわゆるプリズムを構成し、発光体Ｄ２から上方に向かう光（矢印Ａ７）を光伝達部９３の方向（矢印Ａ８）に屈折させるようになっている。光入力部９１は、下シェル１２に形成された光入力用開口部１２６を介して発光体Ｄ２に臨んでいる。
【００３６】
光出力部９２は、発光体Ｄ２からの光を出力する部分であり、ベースフレーム１３２の外壁面１３２ｂの一部であって記録ディスクカートリッジ１がドライブ装置Ｄに挿入されたときにドライブ装置Ｄの外部に露出する部分に形成されている。具体的には、光出力部９２は、カートリッジケース１０の後端部１０ｂ（図１参照）を構成する面に形成されている。また、ベースフレーム１３２の外壁面１３２ｂのうち光出力部９２を除く面は粗面化処理されている。これにより、ベースフレーム１３２の外壁面１３２ｂからベースフレーム１３２の内部に外部光が入り難くなっている。
【００３７】
光伝達部９３は、光入力部９１から光出力部９２にわたって設けられた２本のスリット９４，９４の間に形成された部分であり、いわゆるライトパイプ（光路）としての役割を果たすものである。光伝達部９３は、光入力部９１から入力した光が、光伝達部９３とスリット９４，９４との境界面９４ａや、上シェル１１の下側面や、下シェル１２の上側面に反射しながら、光出力部９２に伝達されるように構成されている。境界面９４ａのうち、光出力部９２に対抗する面（対向面９４ｂ、図３参照）は、光を乱反射するように加工されており、光出力部９２から光が出力され易くなっている。例えば、対向面９４ｂをダイカット形状に成形処理したり、あるいはサンドブラストなどによって成形後に表面をマット処理するのが好適である。
【００３８】
スリット９４は、ベースフレーム１３２の下側面１３２ｃから上方に向かって形成された溝である。スリット９４，９４の平面形状は、光入力部９１から光出力部９２に光を伝達可能であればとくに限定されるものではなく、図３に示すように平面視円弧状に形成してもよいし、図示は省略するが平面視直線状（折れ線状）に形成してもよい。また、スリット９４，９４に光を反射する金属板等を配置してもよい。
【００３９】
Ｖノッチ部材１３３は、後記するように閉方向に付勢されるロータリシャッタ２０を閉位置で止めるストッパとしての役割と（図３参照）、ドライブ装置Ｄとの係合部としての役割とを備える部材であり、左端部１０ｄの前側に配置されている。
【００４０】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００４１】
＜ロータリシャッタ２０＞
図２に戻って説明をつづける。
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている。
【００４２】
ロータリシャッタ２０は、図２及び図５に示すように、記録ディスクメディア３０を外部に臨ませる切欠部２０１を有している。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００４３】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図５、図７参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図７参照）。
【００４４】
また、ロータリシャッタ２０は、図示しない付勢手段（例えば渦巻きばね）によって、閉方向（図３、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図３参照）。
ちなみに、本発明において、前記付勢手段は必須の構成要素ではなく、ドライブ装置Ｄ（図６、図７参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００４５】
このようなロータリシャッタ２０は、図２及び図５に示すように、金属プレートからなる上シャッタ２１及び下シャッタ２２と、これらの間に介在した合成樹脂製のシャッタウォール２３と、を備えて構成されている。
【００４６】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００４７】
また、上シャッタ２１は、その中央部に、前記したセンタピン５０を挿通させるための挿通孔２１２を有している。
【００４８】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００４９】
さらに、下シャッタ２２の下面には、ロータリシャッタ２０を回動させるためのシャッタノブ２４が取り付けられている（図５（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図７参照）。
【００５０】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタ２２の側面から、その径方向外側に向かって徐々に離れるように延出した細長の金属片である。ロック片７０の先端部７１は、径方向内側に向かってやや屈曲している（図３、図５参照）。
【００５１】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図３参照）に係合し、ロータリシャッタ２０が回動しないようになっている。
【００５２】
また、ロック片７０の先端部７１は、係合溝１３１ｅを介して、記録ディスクカートリッジ１の右側方に臨んでいる。そして、記録ディスクカートリッジ１がドライブ装置Ｄ（図７参照）に挿入されると、ドライブ装置Ｄ内のロック解除ピン（図示省略）が、ロック片７０の先端部７１を径方向内側に押し（図３の矢印Ａ６参照）、ロック片７０と係合溝１３１ｅとの係合が解除され、ロータリシャッタ２０が回動可能となるように構成されている。
【００５３】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００５４】
＜記録ディスクメディア３０＞
記録ディスクメディア３０は、データを記録する記録媒体であり、第１実施形態では、図２に示すように、フレキシブルディスク３１と、このフレキシブルディスク３１を支持するハブ３２と、を備えて構成されている。
【００５５】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置ＤのスピンドルモータＳＭ（図６参照）にチャックされるチャック部３２１を備えている（図１（ｂ）、図５（ｂ）参照）。
【００５６】
＜ライナ６０＞
ライナ６０，６０は、記録ディスクメディア３０をクリーニングすると共に、記録ディスクメディア３０を保護するものであり、例えば、不織布等から形成されている。そして、図２に示すように、ライナ６０，６０は、上シャッタ２１及び下シャッタ２２のフレキシブルディスク３１（記録ディスクメディア３０）側にそれぞれ位置しており、接着テープなどによって上シャッタ２１又は下シャッタ２２に固定されている。
【００５７】
＜ハブ孔シャッタ４０＞
図２に戻って説明を続ける。
ハブ孔シャッタ４０は、下シェル１２とハブ３２との間の隙間Ｓ（図７参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００５８】
第１シャッタ４１及び第２シャッタ４２は、それぞれ、平面視で半円状の板状部材である。第１シャッタ４１は、その一方側に、軸孔４１１を有している。同様に、第２シャッタ４２は、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００５９】
また、第１シャッタ４１は、その他方側に、ハブ３２と嵌り合うように半円形状に切り欠かれた嵌合部４１２を有している。同様に、第２シャッタ４２は、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００６０】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００６１】
＜ドライブ装置Ｄ＞
つぎに、ドライブ装置Ｄについて図６を参照して説明する。
ドライブ装置Ｄは、記録ディスクカートリッジ１に対してデータの読み出し／書き込みを行う装置であり、図６に示すように、カード（ＰＣカード）形状を呈している。かかるドライブ装置Ｄは、主に、筐体を構成する上ケースＣ１及び下ケースＣ２と、記録ディスクメディア３０を回転させるスピンドルモータＳＭと、記録ディスクメディア３０に対してデータの読み出し／書き込みを行うヘッドＨと、このヘッドＨを保持するスイングアームＳＡと、スイングアームＳＡを揺動させるアクチュエータＡＣと、データの読み出し／書き込み動作に応じて発光する発光体Ｄ２と、を備えている。
【００６２】
上ケースＣ１と下ケースＣ２との間には、記録ディスクカートリッジ１が挿入される空間であるカートリッジスロットＤＳが設けられている。また、下ケースＣ２は、その一端側（図６の右側）に、記録ディスクカートリッジ１のシャッタノブ２４と係合するシャッタノブ係止部Ｄ１を有している。また、下ケースＣ２は、その他端側（図６の左側）にコンピュータ装置ＰＣ（図８参照）と接続するための接続端子Ｔを有している。また、下ケースＣ２は、挿入されたカートリッジケース１０のＶノッチ部材１３３と係合する係合部材ＤＫを有している。
【００６３】
スピンドルモータＳＭは、カートリッジケース１０のハブ孔１２３から露出しているハブ３２（図１（ｂ）参照）を例えば磁力等により把持して、記録ディスクメディア３０を回転させるものである。また、スイングアームＳＡは、互いに離間した２枚の細長い板状体からなり、その先端部において、２つのヘッドＨ，Ｈを互いに向かい合うように保持している。また、アクチュエータＡＣは、スイングアームＳＡを揺動させることによって、向かい合うヘッドＨ同士の間に、アクセス用開口部１０１から露出する記録ディスクメディア３０を挿入するものである。
【００６４】
発光体Ｄ２は、データの読み出し／書き込み動作に応じて発光する部材であり、例えばＬＥＤ素子などで構成されている。発光体Ｄ２は、下ケースＣ２の上面であって、記録ディスクカートリッジ１が挿入されたときに光入力部９１と向かい合う位置に形成されている。発光体Ｄ２は、コンピュータ装置ＰＣ（図８参照）からの命令によって、データの読み出し／書き込み動作に応じて発光するようになっている。このようなドライブ装置Ｄに記録ディスクカートリッジ１が組み合わされることで、ドライブ装置Ｄの動作通知システムが構成されることとなる。
【００６５】
≪記録ディスクカートリッジの作用効果≫
次に、記録ディスクカートリッジ１の作用効果について説明する。まず、ロータリシャッタ２０及びハブ孔シャッタ４０の動作について図７を主に参照して説明し、その後、光出力機構９０及びドライブ装置Ｄの作用効果について図４及び図８を参照して説明する。
【００６６】
＜ロータリシャッタ２０の動作＞
ロータリシャッタ２０は、図７右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００６７】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図３、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図３、矢印Ａ２参照）。
【００６８】
そうすると、シャッタノブ２４が固定されたロータリシャッタ２０は、カートリッジケース１０内でセンタピン５０を軸として回動する（図３、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００６９】
そして、図７左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００７０】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図３参照）。
【００７１】
＜ハブ孔シャッタ４０の動作＞
次に、このようなロータリシャッタ２０の動作に連動するハブ孔シャッタ４０について説明する。
ハブ孔シャッタ４０は、図７右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００７２】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図３、矢印Ａ４、Ａ４参照）。
【００７３】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図３、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図３、矢印Ａ５参照）。
【００７４】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図７左側参照）。その結果として、ハブ３２及びこれを備える記録ディスクメディア３０は、ハブ３２にチャックするドライブ装置Ｄのスピンドル（図示省略）により、良好に回転することができる。
【００７５】
なお、記録ディスクカートリッジ１がドライブ装置Ｄから取り出されると、閉位置に戻るロータリシャッタ２０に連動して、ハブ孔シャッタ４０は隙間Ｓを閉じる。
【００７６】
＜光出力機構９０及びドライブ装置Ｄの作用効果＞
ドライブ装置Ｄは、図８（ａ）に示すように、コンピュータ装置ＰＣのカードスロットＣＳに挿入される。また、記録ディスクカートリッジ１は、ドライブ装置ＤのカートリッジスロットＤＳに挿入される。このとき、図８（ｂ）に示すように、ドライブ装置Ｄは、カートリッジスロットＤＳの入り口付近を除いて、殆どの部分がコンピュータ装置ＰＣの内部に隠れることとなる。また、記録ディスクカートリッジ１は、カートリッジケース１０の後端部１０ｂを除いて、殆どの部分がドライブ装置Ｄの内部に隠れることとなる。
【００７７】
そして、コンピュータ装置ＰＣの図示しない制御装置によって、データの読み出し／書き込みが命じられると、スピンドルモータＳＭ（図６参照）によって記録ディスクメディア３０が回転させられる。そして、アクチュエータＡＣによってスイングアームＳＡが揺動されて、スイングアームＳＡの先端に配置されたヘッドＨ，Ｈの間に、記録ディスクメディア３０が挿入され、データの読み出し／書き込みが行われる。また、データの読み出し／書き込みが終了すると、アクチュエータＡＣによって、スイングアームＳＡが揺動されてヘッドＨ，Ｈの間から記録ディスクメディア３０が抜き出されるとともに、記録ディスクカートリッジ１と干渉しない位置までスイングアームＳＡが退避させられる。そして、スピンドルモータＳＭによって記録ディスクメディア３０の回転が停止させられる。
【００７８】
このような一連の動作、すなわちデータの読み出し／書き込み動作が行われている間、発光体Ｄ２は、コンピュータ装置ＰＣの図示しない制御装置からの命令によって、発光している。なお、発光体Ｄ２の発光は、連続発光でもよいし、間欠発光（点滅）であってもよい。
【００７９】
発光体Ｄ２から発射された光は、図４（ａ）に示すように、発光体Ｄ２と対向する位置に設けられた光入力部９１に入力される（矢印Ａ７参照）。光入力部９１は、光の方向（矢印Ａ７）を約９０°屈折させるプリズムに構成されていることから、光入力部９１に入力された光は、約９０°屈折させられる（矢印Ａ８参照）。屈折した光は、光伝達部９３の内部を、上シェル１１の下面や、下シェル１２の上面や、境界面９４ａ，９４ａに反射しながら光出力部９２に向かって進む。そして、光出力部９２に到達した光は、図８（ｂ）に示すように、当該光出力部９２からカートリッジケース１０の外部に出力される。これにより、ドライブ装置Ｄの内部に設置された発光体Ｄ２の光が、ドライブ装置Ｄの外部に出力されることとなる。その結果、ドライブ装置Ｄの内部で発光した光をドライブ装置Ｄの外部から目視で確認することができる。
【００８０】
また、発光体Ｄ２は、ドライブ装置Ｄの読み出し／書き込み動作が行われている間、発光していることから、記録ディスクカートリッジ１の光出力部９２も、ドライブ装置Ｄの読み出し／書き込み動作が行われている間、発光することとなる。そのため、ドライブ装置Ｄの読み出し／書き込み動作が行われていることを外部から目視で確認することができる。
【００８１】
＜第２実施形態＞
つづいて、本発明の第２実施形態について図９〜図１１を参照して説明する。
図９は、第２実施形態に係る光出力機構を示した斜視図である。図１０（ａ）は、記録ディスクカートリッジのベースフレームと下シェルとを組み合わせた状態を示した平面図であり、図１０（ｂ）は、図１０（ａ）のIII−III断面図である。図１１は、第２実施形態に係るドライブ装置を示した斜視図である。
【００８２】
第２実施形態に係る記録ディスクカートリッジ１は、図９に示すように、光出力機構９００をベースフレーム１３２と別部材で構成した点、ベースフレームの材料が光透過性材料ではない点、及び、光出力機構９００が第２光出力部９２２と第２光伝達部９３２とを備える点、が第１実施形態と異なっている。また、第２実施形態に係るドライブ装置Ｄは、受光体Ｄ３を備える点が、第１実施形態と異なっている。以下、これらの相違点を中心に説明する。なお、第１実施形態と同一の要素には同一の符号を付し、重複する説明は省略する。
【００８３】
光出力機構９００は、図９に示すように、ベースフレーム１３２と別体に光透過材料で形成された平面視円弧状の部材である。光出力機構９００は、右端部に光入力部９１０を有しているとともに、中央部に第１光出力部９２１を有し、さらに、左端部に第２光出力部９２２を有している。また、光出力機構９００のうち、光入力部９１０から第１光出力部９２１にわたる部分が第１光伝達部９３１となっており、第１光出力部９２１から第２光出力部９２２にわたる部分が第２光伝達部９３２となっている。
【００８４】
光入力部９１０は、ドライブ装置Ｄに設けられた発光体Ｄ２からの光が入力される部分である。光入力部９１０は、下シェル１２の平坦面に対して略４５°傾けられており、入力される光を略９０°屈折させることができるようになっている（第１実施形態と略同様の構造；図４（ａ）参照）。
【００８５】
第１光出力部９２１は、光入力部９１０から入力した光の一部を外部に出力する部分である。第１光出力部９２１は、ベースフレーム１３２に光出力機構９００を組み合わせたときに、外壁面１３２ｂと面一になるように形成されている。
【００８６】
第２光出力部９２２は、光入力部９１０から入力した光のうち、第１光出力部９２１から外部に出力しなかった光を外部（光出力機構９００の外部）に出力する部分である。第２光出力部９２２は、図１０（ｂ）に示すように、下シェル１２の平坦面に対して略４５°傾けられており、第２光伝達部９３２を進んできた光を略９０°（下向きに）屈折させることができるようになっている。
【００８７】
ここで、第２光出力部９２２は、例えば、記録ディスクメディア３０の記憶容量が異なる製品ごとに、異なる位置に形成される。本実施形態では、第２光出力部９２２から出力される光は、記録ディスクメディア３０の性能（記憶容量等）を識別することに利用される。
【００８８】
第１光伝達部９３１は、光入力部９１０から入力した光を第１光出力部９２１まで伝達するものである。また、第２光伝達部９３２は、第１光出力部９２１まで伝達された光のうち、外部に出力されなかった光をさらに第２光出力部９２２まで伝達するものである。第１光伝達部９３１及び第２光伝達部９３２の上方及び下方は、金属プレートからなる上シェル１１及び下シェル１２によってそれぞれ覆われている。また、第１光伝達部９３１及び第２光伝達部９３２の両側は、ベースフレーム１３２によって覆われている。これにより、第１光伝達部９３１及び第２光伝達部９３２は、入力された光を、第１光出力部９２１及び第２光出力部９２２以外の場所から逃がさない構造となっている。
【００８９】
ベースフレーム１３２は、不透性材料を用いて形成されているとともに、光出力機構９００と嵌合する嵌合部１３２ｆを有している。嵌合部１３２ｆは、ベースフレーム１３２の上面から下面にかけて貫通形成された平面視略円弧状の溝孔であり、光出力機構９００に対応する形状を呈している。なお、第１光出力部９２１に対応する部分には、切欠１３２ｇが形成されている。嵌合部１３２ｆの内側面は鏡面処理されており、第１光伝達部９３１及び第２光伝達部９３２の内部を進む光を反射するようになっている。
【００９０】
下シェル１２は、図１０（ａ），（ｂ）に示すように、光入力部９１０に対応する位置に光入力用開口部１２６を有するとともに、第２光出力部９２２に対応する位置に光出力用開口部１２７を有している。光出力用開口部１２７は、ドライブ装置Ｄに設けられた後記する受光体Ｄ３に対して、第２光出力部９２２を臨ませるための孔である。
【００９１】
ドライブ装置Ｄは、図１１に示すように、カートリッジスロットＤＳの内部に、第２光出力部９２２から出力される光を受光するための受光体Ｄ３（Ｄ３ａ、Ｄ３ｂ）を備えている点が、第１実施形態に係るドライブ装置Ｄと異なっている。
【００９２】
受光体Ｄ３（Ｄ３ａ、Ｄ３ｂ）は、例えばフォトセンサなどで構成されており、下ケースＣ２の上面であって、記録ディスクカートリッジ１が挿入されたとき、より詳しくは、データの読み出し／書き込みが可能なところまで挿入されたときに第２光出力部９２２と向かい合う位置に設けられている。ここで、受光体Ｄ３（Ｄ３ａ、Ｄ３ｂ）は、記録ディスクカートリッジ１の性能（記憶容量等）ごとに複数（第２実施形態では２つ）設けられており、記録ディスクカートリッジ１の１つの性能（記憶容量等）に１つの受光体Ｄ３（Ｄ３ａ、Ｄ３ｂ）が対応している。受光体Ｄ３（Ｄ３ａ、Ｄ３ｂ）は、光を受光したことを示す受光信号を、コンピュータ装置ＰＣ（図８参照）に発信するようになっている。
【００９３】
発光体Ｄ２は、コンピュータ装置ＰＣの図示しない制御装置からの命令により、データの読み出し／書き込み動作に応じて発光するほか、記録ディスクカートリッジ１の性能を識別するために発光する。記録ディスクカートリッジ１の性能を識別するために発光するタイミングとしては、たとえばドライブ装置Ｄの係合部材ＤＫが記録ディスクカートリッジ１のＶノッチ部材１３３に係合したタイミングなどが好適である。
【００９４】
＜第２実施形態に係る記録ディスクカートリッジ及びドライブ装置の作用効果＞
第２実施形態に係る記録ディスクカートリッジ及びドライブ装置の作用効果について、図１０、図１１を参照して説明する。なお、データの読み出し／書き込み動作に応じた作用効果については、第１実施形態と同様であるので、その説明を省略し、ここでは、記録ディスクカートリッジ１の性能を識別する作用効果について説明する。
【００９５】
図１１に示すように、記録ディスクカートリッジ１をドライブ装置Ｄに挿入すると、ドライブ装置Ｄの係合部材ＤＫが記録ディスクカートリッジ１のＶノッチ部材１３３に係合するとともに、光入力部９１０が発光体Ｄ２に対向する位置に配置され、第２光出力部９２２が一方の受光体Ｄ３ａに対向する位置に配置される。
【００９６】
そして、係合部材ＤＫとＶノッチ部材１３３が係合すると、コンピュータ装置ＰＣの図示しない制御装置の命令により、発光体Ｄ２が発光する。発光した光は、光入力用開口部１２６を介して光入力部９１０に入力される。光入力部９１０に入力した光は、約９０°屈折され、第１光伝達部９３１の内部を進むこととなる（図１０（ａ）矢印Ａ９参照）。
【００９７】
そして、第１光伝達部９３１の内部を進んだ光のうち、一部の光は第１光出力部９２１から出力され（図１０（ａ）矢印Ａ１０参照）、その他の光はさらに第２光伝達部９３２に入力される（図１０（ａ）矢印Ａ１１参照）。第２光伝達部９３２に入力した光は、上シェル１１の下面や、下シェル１２の上面や、嵌合部１３２ｆの側面に反射しながら、第２光出力部９２２に伝達される。
【００９８】
第２光出力部９２２に伝達された光は、図１０（ｂ）に示すように、約９０°（下向きに）屈折されて出力される（矢印Ａ１２参照）。出力された光は、光出力用開口部１２７を介して受光体Ｄ３ａに受光される。受光体Ｄ３ａは、光を受光したことを示す受光信号をコンピュータ装置ＰＣ（第１実施形態の図８参照）に向けて発信する。
【００９９】
コンピュータ装置ＰＣは、受光体Ｄ３ａ，Ｄ３ｂと記録ディスクカートリッジ１の性能とが関連付けられたマップを備えている。コンピュータ装置ＰＣは、かかるマップを参照して、受光信号に基づいて記録ディスクカートリッジ１の性能を識別する。そして、コンピュータ装置ＰＣは、記録ディスクカートリッジ１の性能（記憶容量など）に基づいて、データの読み出し／書き込み時に、ヘッドの位置等を制御する。これにより、異なる性能の記録ディスクカートリッジ１に対応したドライブ装置Ｄを構成することができる。
【０１００】
このように、第２実施形態に係る記録ディスクカートリッジ１によれば、データの読み出し／書き込み動作を外部から目視で確認できるのみならず、記録ディスクカートリッジ１の性能等を識別することができる。
【０１０１】
以上、本発明の好適な実施形態について説明したが、本発明は前記実施形態に限定されず、本発明の趣旨を逸脱しない範囲で、例えば次のように変更することもできる。
【０１０２】
第１実施形態及び第２実施形態では、発光体Ｄ２を下ケースＣ２の上面に設置したが、これに限られるものではなく、例えば、下ケースＣ２の側面（ドライブ装置Ｄの横壁のカートリッジスロットＤＳ側の面）に設置しても良い。かかる構成によれば、ベースフレーム１３２の外壁面１３２ｂと発光体Ｄ２とが直接対向するため、下シェル１２に光入力用開口部１２６を形成する必要がない。
【０１０３】
また、第２実施形態では、第２光出力部９２２から出力される信号を、記録ディスクカートリッジ１の性能を識別するために用いたが、これに限られるものではなく、記録ディスクカートリッジ１に関する様々な情報を識別するために用いることができる。
例えば、発光体Ｄ２からの光が受光体Ｄ３（Ｄ３ａ，Ｄ３ｂ）によって受光されたことを利用して、記録ディスクカートリッジ１が、データの読み出し／書き込みが可能な位置まで挿入されたことを識別するようにしてもよい。
【０１０４】
また、第２実施形態では、第１光出力部９２１と第２光出力部９２２とを備えるように構成したが、第１光出力部９２１を省略してもよい。かかる場合には、光出力機構９００は、記録ディスクカートリッジ１の性能などを識別するためだけに機能することとなる。
【図面の簡単な説明】
【０１０５】
【図１】第１実施形態に係る記録ディスクカートリッジを示す斜視図であり、（ａ）は前方斜め上方からみた図、（ｂ）は後方斜め下方からみた図である。
【図２】第１実施形態に係る記録ディスクカートリッジの分解斜視図である。
【図３】第１実施形態に係る記録ディスクカートリッジを下方からみた平面図である。
【図４】本発明の光出力機構を示す断面図であり、（ａ）は図３のＩ−Ｉ断面図、（ｂ）は、図３のII−II断面図である。
【図５】第１実施形態に係るロータリシャッタを示す斜視図であり、（ａ）は前方斜め上方からみた図、（ｂ）は後方斜め下方からみた図である。
【図６】第１実施形態に係るドライブ装置を示した斜視図である。
【図７】第１実施形態に係る記録ディスクカートリッジをドライブ装置に挿入した状態を示す斜視図である。
【図８】第１実施形態に係る記録ディスクカートリッジ及びドライブ装置を示す斜視図であり、（ａ）はコンピュータ装置に挿入した状態を示す図、（ｂ）は発光時の状態を示す図である。
【図９】図９は、第２実施形態に係る光出力機構を示した斜視図である。
【図１０】（ａ）は、記録ディスクカートリッジのベースフレームと下シェルとを組み合わせた状態を示した平面図であり、（ｂ）は、（ａ）のIII−III断面図である。
【図１１】図１１は、第２実施形態に係るドライブ装置を示した斜視図である。
【符号の説明】
【０１０６】
１      記録ディスクカートリッジ
１０    カートリッジケース
２０    ロータリシャッタ
３０    記録ディスクメディア
４０    ハブ孔シャッタ
９０    光出力機構
９１    光入力部
９２    光出力部
９３    光伝達部
Ｄ      ドライブ装置
Ｄ２    発光体
【図１】
2007141297.tif 000003
【図２】
2007141297.tif 000004
【図３】
2007141297.tif 000005
【図４】
2007141297.tif 000006
【図５】
2007141297.tif 000007
【図６】
2007141297.tif 000008
【図７】
2007141297.tif 000009
【図８】
2007141297.tif 000010
【図９】
2007141297.tif 000011
【図１０】
2007141297.tif 000012
【図１１】
2007141297.tif 000013